(57)【要約】【課題】複数のパソコンから無線ＬＡＮ経由で1台の無線ＬＡＮ搭載データカードに接続し、そのデータカード通信モデム機能よりインターネット網に接続できる携帯可能な無線ＬＡＮ搭載データカード、通信方法及びプログラムを提供する。【解決手段】ユーザが使用するパソコンと無線によりデータの送受信を行うデータ送受信手段と、前記パソコンとローカルネットワークを形成するネットワーク形成手段と、無線により移動体通信ネットワーク網に接続する無線通信接続手段と、無線通信接続手段により移動体通信ネットワーク網を介してアクセスサーバに接続してインターネット網とデータの送受信と処理とを行うデータ送受信処理手段と、ローカルネットワークに接続されたパソコンと、移動体通信ネットワーク網を介して接続されたインターネット網と、の間でデータの処理と送受信と、を制御する制御手段と、を有する。【選択図】図１
2011004271.tif 000002
【特許請求の範囲】
【請求項１】
ユーザが使用するパソコンと無線によりデータの送受信を行うデータ送受信手段と、
前記パソコンとローカルネットワークを形成するネットワーク形成手段と、
無線により移動体通信ネットワーク網に接続する無線通信接続手段と、
前記無線通信接続手段により前記移動体通信ネットワーク網を介してアクセスサーバに接続してインターネット網とデータの送受信と処理とを行うデータ送受信処理手段と、
前記ローカルネットワークに接続された前記パソコンと、前記移動体通信ネットワーク網を介して接続された前記インターネット網と、の間でデータの処理と送受信と、を制御する制御手段と、を有することを特徴とする無線ＬＡＮ搭載データカード。
【請求項２】
前記データ送受信手段は、前記ネットワーク形成手段と前記無線通信接続手段と前記データ送受信処理手段とにより前記アクセスサーバとの間でデータの送受信を行うことを特徴とする請求項１に記載の無線ＬＡＮ搭載データカード。
【請求項３】
前記データ送受信手段は、前記ネットワーク形成手段により前記ローカルネットワークとの間で形成した通信経路と、前記データ送受信処理手段により前記アクセスサーバとの間で形成した通信経路と、を接続してデータの中継を行う中継手段を有することを特徴とする請求項１または２に記載の無線ＬＡＮ搭載データカード。
【請求項４】
前記ネットワーク形成手段により形成された前記ローカルネットワークと前記アクセスサーバと、の間でデータの送受信を制御するルータ手段を有することを特徴とする請求項１または２に記載の無線ＬＡＮ搭載データカード。
【請求項５】
前記データ送受信手段は無線ＬＡＮであり、前記ネットワーク形成手段は無線ＬＡＮアクセスポイントであり、前記無線通信接続手段は移動体通信であり、前記データ送受信処理手段は通信モデムであること、を特徴とする請求項１から４のいずれか１項に記載の無線ＬＡＮ搭載データカード。
【請求項６】
前記パソコンと接続するためのインターフェイスであるインターフェイス手段と、
前記データ送受信手段と、前記ネットワーク形成手段と、前記無線通信接続手段と、前記データ送受信処理手段と、前記中継手段と、前記ルータ手段と、前記制御手段と、前記インターフェイス手段と、を機能させるための情報を記憶するデータ記憶手段と、
前記データ送受信手段と、前記ネットワーク形成手段と、前記無線通信接続手段と、前記データ送受信処理手段と、前記中継手段と、前記ルータ手段と、前記制御手段と、前記インターフェイス手段と、前記データ記憶手段と、の処理を制御するＣＰＵ手段と、
を有することを特徴とする請求項１から５のいずれか１項に記載の無線ＬＡＮ搭載データカード。
【請求項７】
移動体通信ネットワーク網を介してアクセスサーバに接続してインターネット網とデータの送受信を行う無線ＬＡＮ搭載データカードの通信方法であって、
ユーザが使用するパソコンと無線によりデータの送受信を行うデータ送受信工程と、
前記パソコンとローカルネットワークを形成するネットワーク形成工程と、
無線により移動体通信ネットワーク網に接続する無線通信接続工程と、
前記無線通信接続工程により前記移動体通信ネットワーク網を介してアクセスサーバに接続してインターネット網とデータの送受信を行うデータ送受信処理工程と、
前記ローカルネットワークに接続された前記パソコンと、前記移動体通信ネットワーク網を介して接続された前記インターネット網と、の間でデータの処理を行う処理工程と送受信工程と、を制御する制御工程と、を有することを特徴とする無線ＬＡＮ搭載データカードの通信方法。
【請求項８】
前記データ送受信工程は、前記ネットワーク形成工程と前記無線通信接続工程と前記データ送受信処理工程とにより前記アクセスサーバとの間でデータの送受信を行う工程を有することを特徴とする請求項７に記載の無線ＬＡＮ搭載データカードの通信方法。
【請求項９】
前記データ送受信工程は、前記ネットワーク形成工程により前記ローカルネットワークとの間で形成した通信経路と、前記無線通信接続工程により前記アクセスサーバとの間で形成した通信経路と、を接続してデータの中継を行う中継工程を有することを特徴とする請求項７または８に記載の無線ＬＡＮ搭載データカードの通信方法。
【請求項１０】
前記ネットワーク形成工程により形成された前記ローカルネットワークと前記アクセスサーバと、の間でデータの送受信を制御するルータ工程を有することを特徴とする請求項７または８に記載の無線ＬＡＮ搭載データカードの通信方法。
【請求項１１】
前記データ送受信工程は無線ＬＡＮであり、前記ネットワーク形成工程は無線ＬＡＮアクセスポイントであり、前記無線通信接続工程は移動体通信であり、前記データ送受信処理工程は通信モデムであること、を特徴とする請求項７から１０のいずれか１項に記載の無線ＬＡＮ搭載データカードの通信方法。
【請求項１２】
前記パソコンと接続するためのインターフェイスであるインターフェイス工程と、
前記データ送受信工程と、前記ネットワーク形成工程と、前記無線通信接続工程と、前記データ送受信処理工程と、前記中継工程と、前記ルータ工程と、前記制御工程と、前記インターフェイス工程と、を機能させるための情報を記憶するデータ記憶工程と、
前記データ送受信工程と、前記ネットワーク形成工程と、前記無線通信接続工程と、前記データ送受信処理工程と、前記中継工程と、前記ルータ工程と、前記制御工程と、前記インターフェイス工程と、前記データ記憶工程と、の処理工程を制御するＣＰＵ工程と、
を有することを特徴とする請求項７から１１のいずれか１項に記載の無線ＬＡＮ搭載データカードの通信方法。
【請求項１３】
移動体通信ネットワーク網を介してアクセスサーバに接続してインターネット網とデータの送受信を行う無線ＬＡＮ搭載データカードの通信方法を実行するためのプログラムであって、
ユーザが使用するパソコンと無線によりデータの送受信を行うデータ送受信処理と、
前記パソコンとローカルネットワークを形成するネットワーク形成処理と、
無線により移動体通信ネットワーク網に接続する無線通信接続処理と、
前記無線通信接続処理により前記移動体通信ネットワーク網を介してアクセスサーバに接続してインターネット網とデータの送受信を行うデータ送受信処理と、
前記ローカルネットワークに接続された前記パソコンと、前記移動体通信ネットワーク網を介して接続された前記インターネット網と、の間でデータの処理と送受信処理と、を制御する制御処理と、を実行させることを特徴とするプログラム。
【請求項１４】
前記データ送受信処理は、前記ネットワーク形成処理と前記無線通信接続処理と前記データ送受信処理とにより前記アクセスサーバとの間でデータの送受信処理を行うことを特徴とする請求項１３に記載のプログラム。
【請求項１５】
前記データ送受信処理は、前記ネットワーク形成処理により前記ローカルネットワークとの間で形成した通信経路と、前記無線通信接続処理により前記アクセスサーバとの間で形成した通信経路と、を接続してデータの中継を行う中継処理を有することを特徴とする請求項１３または１４に記載のプログラム。
【請求項１６】
前記ネットワーク形成処理により形成された前記ローカルネットワークと前記アクセスサーバと、の間でデータの送受信を制御するルータ処理を有することを特徴とする請求項１３または１４に記載のプログラム。
【請求項１７】
前記パソコンと接続するためのインターフェイスであるインターフェイス処理と、
前記データ送受信処理と、前記ネットワーク形成処理と、前記無線通信接続処理と、前記データ送受信処理と、前記中継処理と、前記ルータ処理と、前記制御処理と、前記インターフェイス処理と、を機能させるための情報を記憶するデータ記憶処理と、
前記データ送受信処理と、前記ネットワーク形成処理と、前記無線通信接続処理と、前記データ送受信処理と、前記中継処理と、前記ルータ処理と、前記制御処理と、前記インターフェイス処理と、前記データ記憶処理と、の処理を制御するＣＰＵ処理と、
を有することを特徴とする請求項１３から１６のいずれか１項に記載のプログラム。
【発明の詳細な説明】
【技術分野】
【０００１】
本発明は、無線ＬＡＮ経由でパソコンとネットワーク接続し、データカード経由でインターネット接続できる無線ＬＡＮ搭載データカード、通信方法及びプログラムに関する。
【背景技術】
【０００２】
近年は、個人のユーザでも多くの情報機器（パソコン、ＰＤＡ（Ｐｅｒｓｏｎａｌ  Ｄｉｇｉｔａｌ  Ａｓｓｉｓｔａｎｃｅ）、プリンタ等）を所有するようになっており、データの共有化等の為に情報機器間でデータの送受信を行う場合には、各情報機器をケーブル等で接続する有線ＬＡＮ（Ｌｏｃａｌ  Ａｒｅａ  Ｎｅｔｗｏｒｋ）よりもケーブルの管理や配線のレイアウト等の面で有利である無線ＬＡＮ接続が多く利用されるようになってきた。
【０００３】
これは各家庭内や会社内における情報機器間だけにとどまらず、インターネット等の外部のネットワークの機器と接続する際にも無線により接続するようになってきている。
【０００４】
各個人ユーザのパソコンを、無線にてインターネットと接続するには、パソコンに無線モジュールとしての無線ＬＡＮカードを接続し、無線ＬＡＮカードを介してインターネット等と接続された無線ＬＡＮ用アクセスポイントとデータ通信を行う方法が一般的である。
【０００５】
また最近の可搬型パソコン（いわゆるノートパソコンなど）は、無線ＬＡＮカードを後付けしなくても無線ＬＡＮに接続できる無線ＬＡＮチップが標準として搭載されているものも多くなってきている。
【０００６】
家庭やオフィスなどの屋内では、アクセスポイント（無線基地局とも言う）と無線ＬＡＮカードを、それぞれ装着した複数のパソコンによって無線ＬＡＮネットワークが構築される。
【０００７】
屋外では、公共性の高い駅構内、空港、ホテルロビー、ファーストフード店などにアクセスポイントを設置し、公衆無線ＬＡＮサービス（例えばホットスポット、フリースポットなど）や、住宅、マンションに対するＦＷＡ（Ｆｉｘｅｄ  Ｗｉｒｅｌｅｓｓ  Ａｃｃｅｓｓ：固定無線アクセスまたは加入者系無線アクセスシステム）のサービスが可能となっている。
【０００８】
しかし現状では、ＦＷＡの加入者は急激に減少しており、住宅やマンションなどでは、ＣＡＴＶ（Ｃｏｍｍｏｎ  Ａｎｔｅｎｎａ  ＴｅｌｅＶｉｓｉｏｎ）やＡＤＳＬ（Ａｓｙｍｍｅｔｒｉｃ  Ｄｉｇｉｔａｌ  Ｓｕｂｓｃｒｉｂｅｒ  Ｌｉｎｅ）、そして、ＦＴＴＨ（Ｆｉｂｅｒ  Ｔｏ  Ｔｈｅ  Ｈｏｍｅ）などが主流となってきている。
【０００９】
また、ホットスポットなどの公衆無線ＬＡＮは使用できるサービスエリアが限定的であり、ノートパソコンなどの可搬型ＰＣなどを広域のモバイル環境で使用する場合には、ＰＨＳ（Ｐｅｒｓｏｎａｌ  Ｈａｎｄｙｐｈｏｎｅ  Ｓｙｓｔｅｍ）システムや携帯電話システムなどの移動体通信網対応のＰＣカードを利用してインターネット無線接続することが主流となってきている。
【００１０】
例えば、特許文献１においては、無線ＬＡＮのアクセスポイントとの通信のためにＰＣカードスロットに挿入して使用するカードバス対応の無線ＬＡＮカードに、市販のコンパクトフラッシュ（登録商標）型ＰＨＳカードを差し込んで一体型となるようにして、無線ＬＡＮが使用できるエリアではアクセスポイントを介してインターネットに接続し、無線ＬＡＮが使用出来ないエリアではＰＨＳシステムの移動体通信網を介してインターネットに接続するという発明が開示されている。
【００１１】
また、特許文献２においては、携帯電話を充電するクレードル（台）に無線ＬＡＮアクセスポイントとモデムの機能を持たせて、パソコンは無線ＬＡＮカードを介して無線ＬＡＮアクセスポイントであるクレードルに接続し、中継機能を持ったクレードルは携帯電話を使用して移動体通信網を介してインターネットに接続するという発明が開示されている。
【００１２】
また、特許文献３においては、無線ルータにＰＨＳ通信モジュールとアンテナを組み込み、パソコンは無線ＬＡＮカードを介して無線ルータに接続し、無線ルータはＰＨＳ通信モジュールとアンテナによりＰＨＳシステムの移動体通信網を介してインターネットに接続するという発明が開示されている。なお、無線ルータは、有線接続ポートが増設でき、パソコンおよびインターネットとは有線でも接続できるようにして、無線か有線かを選択するようにしたものである。
【００１３】
また、特許文献４においては、街中や建物内のあらゆる所でインターネットに接続できるようなインフラを整えるために、無線ＬＡＮアクセスポイント機能を自動販売機に組み込み、通信中継器としてインターネット接続サービスを提供するという発明が開示されている。
【先行技術文献】
【特許文献】
【００１４】
【特許文献１】特開２００４−１３５２３６号公報
【特許文献２】特開２００４−３０４７２０号公報
【特許文献３】特開２００５−１０２０２８号公報
【特許文献４】特開２００５−１６５６７９号公報
【発明の概要】
【発明が解決しようとする課題】
【００１５】
従来は、パソコンを外出先に持ち出してインターネットに接続するときは、パソコン１台につきインターネット無線接続用のデータカードが１台必要である。
【００１６】
また業務などにより複数人で外出する場合でも各個人がパソコンを１台所有するのが普通となり、例えば、外出先での会議などにおいてパソコンを使ってネットワークに接続するときは、全てのパソコンがインターネット無線接続用のデータカードを備えていない場合は、その都度データカードを抜き差しして、貸し借りを行わなければならないという問題があった。
【００１７】
また特許文献１に記載されている方法では、無線ＬＡＮが使用できるエリアでは無線ＬＡＮを優先し、それ以外のエリアではＰＨＳシステムの移動体通信網を使用することが出来るが、各パソコンには、それぞれのデータカードを装着する必要があるという問題があった。
【００１８】
また特許文献２に記載されている方法では、持ち運び可能なクレードル（台）が無線ＬＡＮアクセスポイントとなっているものの、パソコンとクレードルと携帯電話とを一体で使用する構成であるためにインターネット接続している間は携帯電話機能が使用できないこと、携帯電話をクレードル（台）に設置していないとインターネット接続が出来ないという問題があった。
【００１９】
また特許文献３に記載されている方法では、無線ルータがＰＨＳシステムに連結できるようになっているが、据え置き型のために簡単に持ち運べない、及び固定の電源が必要であるという問題があった。
【００２０】
また特許文献４に記載されている方法は、屋内外における通信中継器としての無線ＬＡＮアクセスポイントであるために、設置場所が固定であるという問題があった。
【００２１】
そこで、２台以上のパソコンを同一会議室内、あるいは一定範囲内（例えばデータカードと無線ＬＡＮ通信が行える範囲内）で使用する場合には、インターネット無線接続用データカードと各パソコン間は無線ＬＡＮ接続し、各パソコンは１つのインターネット無線接続用データカードを介してインターネット網に接続できるようにする。
【００２２】
そして、１台の無線ＬＡＮ搭載のインターネット無線接続用データカードがあれば、そのデータカードに無線ＬＡＮ接続しているパソコンは、一緒にインターネット接続できるようになり、上述したインターネット無線接続用データカードの抜き差しや貸し借りをする煩わしさが解消されることになる。
【００２３】
また最近の可搬型ノートパソコンなどは、無線ＬＡＮに接続できる無線ＬＡＮチップが標準として搭載されているものが多くなっていることを考え併せれば、同一会議室内や一定範囲内では無線ＬＡＮ搭載のインターネット無線接続用データカードを１台だけ持ち運べば、２台以上のパソコンが簡単にどこでもインターネット網に接続できるようになる。
【００２４】
また上述のデータカードは、可搬型ノートパソコンより電源の供給を受けるので、データカード用の電源は必要ないことになる。
【００２５】
そこで本発明は、上記問題点に鑑みてなされたもので、複数のパソコンから無線ＬＡＮ経由で1台の無線ＬＡＮ搭載データカードに接続し、そのデータカード通信モデム機能よりインターネット網に接続できる携帯可能な無線ＬＡＮ搭載データカード、通信方法及びプログラムを提供することを目的とする。
【課題を解決するための手段】
【００２６】
上記課題を解決するため、本発明に係る無線ＬＡＮ搭載データカードは、ユーザが使用するパソコンと無線によりデータの送受信を行うデータ送受信手段と、前記パソコンとローカルネットワークを形成するネットワーク形成手段と、無線により移動体通信ネットワーク網に接続する無線通信接続手段と、無線通信接続手段により移動体通信ネットワーク網を介してアクセスサーバに接続してインターネット網とデータの送受信と処理とを行うデータ送受信処理手段と、ローカルネットワークに接続されたパソコンと、移動体通信ネットワーク網を介して接続されたインターネット網と、の間でデータの処理と送受信と、を制御する制御手段と、を有することを特徴とする。
【００２７】
また、本発明に係る無線ＬＡＮ搭載データカードの通信方法は、移動体通信ネットワーク網を介してアクセスサーバに接続してインターネット網とデータの送受信を行う無線ＬＡＮ搭載データカードの通信方法であって、ユーザが使用するパソコンと無線によりデータの送受信を行うデータ送受信工程と、前記パソコンとローカルネットワークを形成するネットワーク形成工程と、無線により移動体通信ネットワーク網に接続する無線通信接続工程と、無線通信接続工程により移動体通信ネットワーク網を介してアクセスサーバに接続してインターネット網とデータの送受信を行うデータ送受信処理工程と、ローカルネットワークに接続されたパソコンと、移動体通信ネットワーク網を介して接続されたインターネット網と、の間でデータの処理を行う処理工程と送受信工程と、を制御する制御工程と、を有することを特徴とする。
【００２８】
また、本発明に係るプログラムは、移動体通信ネットワーク網を介してアクセスサーバに接続してインターネット網とデータの送受信を行う無線ＬＡＮ搭載データカードの通信方法を実行するためのプログラムであって、ユーザが使用するパソコンと無線によりデータの送受信を行うデータ送受信処理と、前記パソコンとローカルネットワークを形成するネットワーク形成処理と、無線により移動体通信ネットワーク網に接続する無線通信接続処理と、無線通信接続処理により移動体通信ネットワーク網を介してアクセスサーバに接続してインターネット網とデータの送受信を行うデータ送受信処理と、ローカルネットワークに接続されたパソコンと、移動体通信ネットワーク網を介して接続されたインターネット網と、の間でデータの処理と送受信処理と、を制御する制御処理と、を実行させることを特徴とする。
【発明の効果】
【００２９】
本発明により、複数台のパソコンから無線ＬＡＮ経由で携帯可能な1台の無線ＬＡＮ搭載データカードに接続し、そのデータカード通信モデム機能により１台の無線ＬＡＮ搭載データカード経由でインターネット接続することが可能になる。
【図面の簡単な説明】
【００３０】
【図１】本発明の実施形態に係るネットワーク概略構成図である。
【図２】本発明の実施形態に係る無線ＬＡＮ搭載データカード内部構成図である。
【図３】本発明の実施形態に係る無線ＬＡＮカード内部構成図である。
【図４】本発明の実施形態に係るインターネット接続時のフローチャート図である。
【図５】本発明の実施形態に係るインターネット接続終了時のフローチャート図である。
【発明を実施するための形態】
【００３１】
図１は、本発明の一実施形態に係る、無線ＬＡＮ搭載データカードとパソコンとのネットワークの概略構成図の例である。
【００３２】
本ネットワークは、ローカルネットワーク１と、パソコン１１と、パソコン１２と、パソコン１３と、パソコン１４と、移動体通信ネットワーク網１０と、ＩＳＰ（Ｉｎｔｅｒｎｅｔ  Ｓｅｒｖｉｃｅｓ  Ｐｒｏｖｉｄｅｒ）１５と、インターネット網１６と、インターネットサーバ１７と、を備えて構成される。
【００３３】
ローカルネットワーク１は、パソコン１１の無線ＬＡＮ搭載データカード１１ａを無線アクセスポイントとして、パソコン１１と、パソコン１２と、パソコン１３と、パソコン１４と、からなる無線ネットワークを構成している。
【００３４】
パソコン１１は、無線通信を行うための無線ＬＡＮ搭載データカード１１ａを備えている。この無線ＬＡＮ搭載データカード１１ａの無線ＬＡＮ機能は、無線通信規格、例えば、ＩＥＥＥ８０２．１１ｂ／ａ／ｇ規格に準拠しているものである。
【００３５】
無線ＬＡＮ搭載データカード１１ａは、パソコン１２と、パソコン１３と、パソコン１４と、の間で、データの送受信を無線にて行うためのネットワーク形成手段としての無線ＬＡＮアクセスポイント機能を備えている。
【００３６】
この無線ＬＡＮアクセスポイント機能により、無線ＬＡＮ搭載データカード１１ａは、無線ＬＡＮアクセスポイント部２２０とパソコン１２と、パソコン１３と、パソコン１４と、の無線ＬＡＮカード１２ａと、１３ａと、１４ａと、の間で無線接続し、データ通信を行うための通信経路を無線ＬＡＮ搭載データカード１１ａとの間で確立してデータの送受信を行う。
【００３７】
また、無線ＬＡＮ搭載データカード１１ａは、無線ＬＡＮ接続するパソコン１２とパソコン１３とパソコン１４と、の識別情報などは予め登録してあるものとする。そしてパソコン１２とパソコン１３とパソコン１４と、無線ＬＡＮカード１２ａと１３ａと１４ａと、には無線ＬＡＮエリアで使用する暗号化キーなどの無線ＬＡＮ設定情報を予め登録してあるものとする。
【００３８】
もし上述の無線ＬＡＮ設定に関係する情報が予め登録されていない場合には、一般的な無線ＬＡＮ設定の方法により行うものとする。例えば、無線ＬＡＮ搭載データカード１１ａは、無線ＬＡＮ通信を行うために必要なＷＥＰキーなどを無線ＬＡＮカード１２ａ、１３ａ、１４ａに対して配信する。そして上記の端末のＭＡＣアドレスやＷＥＰキーなどのデータを登録する。なお、端末を特定できるデータであれば、ＭＡＣアドレスに限定されることはない。
【００３９】
無線ＬＡＮ搭載データカード１１ａは、データカード通信モデム部２３を使用して移動体通信網１０を介してＩＳＰ（Ｉｎｔｅｒｎｅｔ  Ｓｅｒｖｉｃｅｓ  Ｐｒｏｖｉｄｅｒ）１５に備えられたアクセスサーバ１５ａにダイヤルアップするデータ送受信処理手段としてのモデム機能を備えている。
【００４０】
このモデム機能により、無線ＬＡＮ搭載データカード１１ａは、データカード通信モデム部２３及び移動体通信網１０を介してアクセスサーバ１５ａとデータの送受信を行うことができる。
【００４１】
また、無線ＬＡＮ搭載データカード１１ａは、無線ＬＡＮアクセスポイント機能以外に、例えばパソコン１１が他の無線アクセスポイントと無線通信を行うための無線ＬＡＮ機能を備えている。その機能は一般的な無線ＬＡＮカードと同様である。そして無線通信規格、例えば、ＩＥＥＥ８０２．１１ｂ／ａ／ｇ規格に準拠しているものである。
【００４２】
無線ＬＡＮ搭載データカード１１ａは、データをパソコン１２と、パソコン１３と、パソコン１４と、データカード通信モデム部２３との間で中継する中継手段としてのブリッジ処理機能を備えている。
【００４３】
このブリッジ処理機能は、無線ＬＡＮ搭載データカード１１ａの使用形態によって動作させたり、動作させなかったり、選択できるようになっている。この選択はＣＰＵ部２１および制御回路部２４によって自動的に判断するようになっているが、手動で設定することも可能である。
【００４４】
このブリッジ処理機能により、パソコン１２と、パソコン１３と、パソコン１４と、無線ＬＡＮアクセスポイント部２２０との間で形成された通信経路と、無線ＬＡＮアクセスポイント部２２０とアクセスサーバ１５ａとの間で形成された通信経路と、を接続し、パソコン１２と、パソコン１３と、パソコン１４と、からアクセスサーバ１５ａまでの通信経路を確立する。
【００４５】
つまり、このブリッジ処理機能により、無線ＬＡＮ搭載データカード１１ａは、中継先の通信経路と、中継元の通信経路で異なるプロトコルでデータ通信が行われているときには、データの形式を中継先の通信経路に適したプロトコルに変換して、データの中継を行うことが可能となる。
【００４６】
また、無線ＬＡＮ搭載データカード１１ａは、ルータ部２６によってローカルネットワーク１とインターネット網１６の間の仲立ちをするルータ機能を備えている。基本的には各ネットワーク間でのＩＰパケットをやり取りできるようにするものである。
【００４７】
詳しくはＩＰパケットのあて先ＩＰアドレスを基にフレームを転送することである。このルータ機能は、無線ＬＡＮ搭載データカード１１ａの使用形態によって動作させたり、動作させなかったり、選択できるようになっている。この選択はＣＰＵ部２１および制御回路部２４によって自動的に判断するようになっているが、手動で設定することも可能である。
【００４８】
パソコン１２は、通信装置である無線ＬＡＮ搭載データカード１１ａと無線通信を行うための無線ＬＡＮカード１２ａを備えている。この無線ＬＡＮカード１２ａは、上述と同様で無線通信規格、例えば、ＩＥＥＥ８０２．１１ｂ／ａ／ｇ規格に準拠しているものである。
【００４９】
なお無線ＬＡＮカード１２ａは、パソコン１２の標準機能または追加機能として備えられているものである。
【００５０】
パソコン１３とパソコン１４もパソコン１２と同様の無線ＬＡＮカード１３ａと無線ＬＡＮカード１４ａとを備えている。
【００５１】
移動体通信ネットワーク網１０は、移動体通信事業者が提供するもので、ＰＨＳシステムや携帯電話システムである。携帯電話システムの方式としてはｃｄｍａ（Ｃｏｄｅ  Ｄｉｖｉｓｉｏｎ  Ｍｕｌｔｉｐｌｅ  Ａｃｃｅｓｓ）  Ｏｎｅ、ＣＤＭＡ２０００、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）などがある。
【００５２】
ＩＳＰ（Ｉｎｔｅｒｎｅｔ  Ｓｅｒｖｉｃｅｓ  Ｐｒｏｖｉｄｅｒ）１５は、インターネット接続サービスを提供する事業者のことである。
【００５３】
インターネット網１６と、インターネットサーバ１７は、公衆インターネット網と、それに接続している各種のインターネットサーバである。
【００５４】
図２は、本発明の一実施形態に係る、無線ＬＡＮ搭載データカード内部構成図である。
【００５５】
無線ＬＡＮ搭載データカード１１ａは、ＣＰＵ部２１と、無線ＬＡＮ部２２と、無線ＬＡＮアクセスポイント部２２０と、データカード通信モデム部２３と、制御回路部２４と、データメモリ部２５と、ルータ部２６と、Ｉ／Ｆ部２７と、を備えて構成される。
【００５６】
無線ＬＡＮ部２２と無線ＬＡＮアクセスポイント部２２０は、電波を送受信するための無線ＬＡＮアクセスポイント用アンテナ２２１と無線ＬＡＮ用アンテナ２２２と、を備える。またデータカード通信モデム部２３は、電波を送受信するための無線通信用アンテナ２３１を備える。
【００５７】
ＣＰＵ部２１は、データカード内の制御や処理を行うプロセッサである。ＣＰＵ部２１は、無線ＬＡＮ部２２及びデータカード通信モデム部２３にそれぞれ接続し、パケットデータの処理と伝送を行い、無線ＬＡＮ部２２及びデータカード通信モデム部２３相互のパケットデータ伝送ができるようになっている。
【００５８】
無線ＬＡＮ部２２及び無線ＬＡＮアクセスポイント部２２０は、各パソコンと無線ＬＡＮ機能により接続する。無線ＬＡＮ部２２は、ＣＰＵ部２１および制御回路部２４と接続し、無線ＬＡＮ（ＩＥＥＥ８０２．１１ｂ／ａ／ｇなど）のパケットデータや無線信号の処理などを行う。
【００５９】
例えば、ＣＰＵ部２１が送信してきたパケットデータを無線信号に変換して無線ＬＡＮアクセスポイント用アンテナ２２１及び無線ＬＡＮ用アンテナ２２２に伝送したり、無線ＬＡＮアクセスポイント用アンテナ２２１及び無線ＬＡＮ用アンテナ２２２が送信してきた無線信号をパケットデータに変換してＣＰＵ２１に伝送したりする。
【００６０】
無線ＬＡＮアクセスポイント部２２０は、パソコン１２と、パソコン１３と、パソコン１４と、の無線ＬＡＮカード１２ａと、１３ａと、１４ａと、の間で無線データ通信を行うために、セキュリティ機能を備えている。
【００６１】
このセキュリティ機能には、データの暗号化とアクセス制御と、の２種類の方式があり、データの暗号化では、例えばＷＥＰ（Ｗｉｒｅｄ  Ｅｑｕｉｖａｌｅｎｔ  Ｐｒｉｖａｃｙ）、ＷＰＡ（Ｗｉ−Ｆｉ  Ｐｒｏｔｅｃｔｅｄ  Ａｃｃｅｓｓ）、ＷＰＡ２（Ｗｉ−Ｆｉ  Ｐｒｏｔｅｃｔｅｄ  Ａｃｃｅｓｓ２）などがある。
【００６２】
またアクセス制御では、例えばＳＳＩＤ（Ｓｅｒｖｉｃｅ  Ｓｅｔ  ＩＤ）、ＥＳＳＩＤ（Ｅｘｔｅｎｄｅｄ  ＳＳＩＤ）、ＭＡＣ（Ｍｅｄｉａ  Ａｃｃｅｓｓ  Ｃｏｎｔｒｏｌ）アドレスフィルタリング、ＡＮＹ接続拒否、ビーコン信号にＳＳＩＤを含めない等がある。
【００６３】
上述したセキュリティ方式は、公知の方式であるので詳細については省略する。
【００６４】
無線ＬＡＮアクセスポイント用アンテナ２２１及び無線ＬＡＮ用アンテナ２２２は、無線ＬＡＮ通信規格に適合する無線信号を受信または送信して、無線ＬＡＮを形成し、パソコン１１、パソコン１２、パソコン１３、パソコン１４が無線伝送及びリソースシェアリングできるようにし、無線ＬＡＮ搭載データカード１１ａと各パソコンとの無線信号伝送のインターフェイスとなる。
【００６５】
データカード通信モデム部２３は、ＣＰＵ部２１および制御回路部２４と接続し、移動体通信ネットワーク網の通信規格の無線信号変換の連結、処理、伝送を行う。無線信号をパケットデータに転換し、パケットデータがＣＰＵ部２１に伝送される経路となる。
【００６６】
無線通信用アンテナ２３１は移動体通信網の通信規格に適合する無線信号を受信または発信する。これにより無線ＬＡＮ搭載データカード１１ａと移動体通信網とを接続して、インターネット無線接続および伝送のインターフェイスとなる。
【００６７】
制御回路部２４は、ＣＰＵ２１と接続して無線ＬＡＮ搭載データカード１１ａの各種設定や処理などの制御を行う制御回路である。そして無線ＬＡＮ経由で接続されたパソコンとデータカードにより移動体通信網を経由して接続されたインターネット網との間でのデータの送受信を制御する。
【００６８】
データメモリ部２５は、無線ＬＡＮ搭載データカード１１ａの各種設定および各種機能を実現するためのプログラムを記憶する。またＣＰＵ部２１および制御回路部２４によるデータ処理などのバッファメモリーなどにも使用される。
【００６９】
ルータ部２６は、ＩＰパケットの転送を行う。ＩＰパケットを受け取ると、あて先ＩＰアドレスを読み取りあて先のインターフェイスに転送する。これは受信したフレームからＩＰパケットを抽出して、あて先ＩＰをルーティングテーブル内で検索してフレーム送出インターフェイスを決定することである。この場合のインターフェィスとは無線ＬＡＮ搭載データカード１１ａと無線ＬＡＮ接続しているクライアントＰＣのことである。
【００７０】
ルータ部２６のルータ機能は基本的に４つある。それは、インターネット網１６への接続機能と、上述したＩＰパケットの転送機能と、受け取ったＩＰパケットに応じて、転送を優遇したり破棄したりする選別機能と、経路情報の管理機能と、である。
【００７１】
また詳しくは、ＰＰＰｏＥ（Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標））接続機能、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能、グローバルＩＰアドレスとプライベートアドレスの相互変換機能（ＩＰマスカレードとＮＡＴ）、パケットフィルタリング機能（主要なポート番号のフィルタは予め設定されている）、ＤＮＳ（Ｄｏｍａｉｎ  Ｎａｍｅ  Ｓｙｓｔｅｍ）キャッシュ機能、各種設定及び管理機能などである。これらの機能を実現するプログラムは、ＣＰＵ部２１と、制御回路部２４と、データメモリ部２５と、により制御されている。
【００７２】
またルータ部２６の内部処理としては、無線通信用アンテナ２３１で受け取ったＩＰパケット信号の受信処理と、ＣＰＵ部２１及びデータメモリ部２５などの入力バッファ領域に蓄積されたＩＰパケットをＦＩＦＯ（Ｆｉｒｓｔ  Ｉｎ、Ｆｉｒｓｔ  Ｏｕｔ）順に取り出して、そのＩＰヘッダーを読み取り解析する処理と、ＩＰヘッダー中のＴＴＬ（Ｔｉｍｅ  ｔｏ  ｌｉｖｅ）というＩＰパケットの寿命を表す数値を１つ減らしたり、ＮＡＴ（Ｎｅｔｗｏｒｋ  Ａｄｄｒｅｓｓ  Ｔｒａｎｓｌａｔｉｏｎ）やＩＰマスカレードなどのアドレス変換が必要であれば処理をしたり、送出先に合わせたＭＡＣ（Ｍｅｄｉａ  Ａｃｃｅｓｓ  Ｃｏｎｔｒｏｌ）フレームを作りそこにＩＰパケットを入れたり、という加工処理と、パケットの送出優先度ごとに分類してインターフェイスごとの出力バッファに格納し、出力側のインターフェイスの状況に応じてＱｏＳ（Ｑｕａｌｉｔｙ  ｏｆ  ｓｅｒｖｉｃｅ）を満たすタイミングで順次送出する処理と、である。
【００７３】
Ｉ／Ｆ部２７は、パソコンのカードバスに接続するためのインターフェイスである。パソコンとの接続においては、カードバスタイプでなくても良く、いかなる形態でも接続できるインターフェイスであれば良い。
【００７４】
従って、無線ＬＡＮ搭載データカード１１ａの実施形態においては、パソコンとの接続形態によって、カードバス対応に限定されるものではなく、ＵＳＢ対応など、その他パソコンと接続できる規格であれば、あらゆる形態が可能である。
【００７５】
図３は、本発明の一実施形態に係る、無線ＬＡＮカード１２ａ内部構成図である。
【００７６】
この無線ＬＡＮカード１２ａは、無線通信規格、例えば、ＩＥＥＥ８０２．１１ｂ／ａ／ｇ規格に準拠しているものである。
【００７７】
無線ＬＡＮカード１２ａは、ＣＰＵ２１と、無線ＬＡＮ部２２と、制御回路部２４と、データメモリ部２５と、を備える。無線ＬＡＮ部２２は、電波を送受信するためのアンテナ２２２が備えられている。
【００７８】
なお無線ＬＡＮカード１２ａの機能は、パソコン１２の標準機能として備えられていても良い。詳しくは無線ＬＡＮに接続できる無線ＬＡＮチップが標準として搭載されているパソコンであっても良い。
【００７９】
一般的に可搬型のノートパソコンでは、側面にあるＰＣカードスロットに無線ＬＡＮカードを差し込んで使用する。また、無線ＬＡＮカード１３ａ、１４ａも同様のものである。
【００８０】
なお、上述した無線ＬＡＮカードの機能は、規格が同じであれば一般的に公知の無線ＬＡＮカードと変わることはないので詳細な説明は省略する。
【００８１】
図４は、本発明の一実施形態に係る、インターネット接続時のフローチャートである。
【００８２】
パソコン１２は、無線ＬＡＮ搭載データカード１１ａに接続するために無線ＬＡＮカード１２ａを介して接続開始パケットを送信する（ステップＳ１０１）。無線ＬＡＮ搭載データカード１１ａは、接続開始パケットを受信したかを判断する（ステップＳ１０２）。接続開始パケットを受信していない場合（ステップＳ１０２、ＮＯ）は、受信するまで判断を繰り返す。接続開始パケットを受信した場合（ステップＳ１０２、ＹＥＳ）は、無線ＬＡＮ搭載データカード１１ａは無線ＬＡＮアクセスポイント機能２２０に基づき、パソコン１２に対して応答パケットを送信する（ステップＳ１０３）。
【００８３】
パソコン１２は、応答パケットを受信したかを判断する（ステップＳ１０４）。応答パケットを受信していない場合（ステップＳ１０４、ＮＯ）は、受信するまで判断を繰り返す。応答パケットを受信した場合（ステップＳ１０４、ＹＥＳ）は、無線ＬＡＮ搭載データカード１１ａに対して接続要求パケットを送信する（ステップＳ１０５）。
【００８４】
無線ＬＡＮ搭載データカード１１ａは、接続要求パケットを受信したかを判断する（ステップＳ１０６）。接続要求パケットを受信していない場合（ステップＳ１０６、ＮＯ）は、受信するまで判断を繰り返す。接続要求パケットを受信した場合（ステップＳ１０６、ＹＥＳ）は、パソコン１２に対して接続設定開始パケットを送信する（ステップＳ１０７）。
【００８５】
そして無線ＬＡＮ搭載データカード１１ａは、通信モデム機能２３に基づき、データカード通信モデム部２３を使用して移動体通信ネットワーク１０を介してＩＳＰ１５のアクセスサーバ１５ａにダイヤルアップ接続を行う（ステップＳ１０９）。
【００８６】
一方、パソコン１２は、接続設定開始パケットを受信したかを判断する（ステップＳ１０８）。接続設定開始パケットを受信していない場合（ステップＳ１０８、ＮＯ）は、受信するまで判断を繰り返す。接続開始パケットを受信した場合（ステップＳ１０８、ＹＥＳ）は、アクセスサーバ１５ａに対して定期的にＬＣＰ（Ｌｉｎｋ  Ｃｏｎｔｒｏｌ  Ｐｒｏｔｏｃｏｌ）エコー要求パケットを送信する（ステップＳ１１０）。
【００８７】
次に、アクセスサーバ１５ａは、無線ＬＡＮ搭載データカード１１ａから移動体通信ネットワーク１０を介してダイヤルアップされたかを確認する（ステップＳ１１１）。ダイヤルアップが確認できない場合（ステップＳ１１１、ＮＯ）は、確認するまで判断を繰り返す。ダイヤルアップされたことを確認した場合（ステップＳ１１１、ＹＥＳ）は、無線ＬＡＮ搭載データカード１１ａに対して、アクセスサーバ１５ａとの通信経路が確立したことを示す接続確立パケットを送信する（ステップＳ１１２）。
【００８８】
無線ＬＡＮ搭載データカード１１ａは、接続確立パケットを受信したかを判断する（ステップＳ１１３）。接続確立パケットを受信していない場合（ステップＳ１１３、ＮＯ）は、受信するまで判断を繰り返す。接続開始パケットを受信した場合（ステップＳ１１３、ＹＥＳ）は、その後パソコン１２からＬＣＰエコー要求パケットを受信すると、アクセスサーバ１５ａに対してＬＣＰエコー要求パケットを送信する。
【００８９】
アクセスサーバ１５ａは、ＬＣＰエコー要求パケットを受信したかを判断する（ステップＳ１１４）。ＬＣＰエコー要求パケットを受信していない場合（ステップＳ１１４、ＮＯ）は、受信するまで判断を繰り返す。ＬＣＰエコー要求パケットを受信した場合（ステップＳ１１４、ＹＥＳ）は、無線ＬＡＮ搭載データカード１１ａに対して、肯定応答パケットを送信する（ステップＳ１１５）。無線ＬＡＮ搭載データカード１１ａは、肯定応答パケットを受信すると、パソコン１２に対して肯定応答パケットを送信する。
【００９０】
パソコン１２は、肯定応答パケットを受信したかを判断する（ステップＳ１１６）。肯定応答パケットを受信していない場合（ステップＳ１１６、ＮＯ）は、暫く経過をみて応答がないと終了する。肯定応答パケットを受信した場合（ステップＳ１１６、ＹＥＳ）は、アクセスサーバ１５ａとの通信経路が確立したことを確認する（ステップＳ１１７）。
【００９１】
パソコン１２と無線ＬＡＮ搭載データカード１１ａとアクセスサーバ１５ａとの間で通信経路が確立した後は、公知の認証方式の手順に従って認証を行う。そして認証が成功した後は、パソコン１２は、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）の手順に基づいてインターネットサーバ１７との間でデータの送受信を行うことになる。
【００９２】
図５は、本発明の一実施形態に係る、インターネット接続終了時のフローチャートである。
【００９３】
パソコン１２は、インターネットサーバ１７との接続を終了する場合は、終了パケットを無線ＬＡＮ搭載データカード１１ａに対して送信する。無線ＬＡＮ搭載データカード１１ａは、パソコン１２から終了パケットを受信した場合はアクセスサーバ１５ａに対して切断パケットを送信してアクセスサーバ１５ａとの通信経路を切断する。またそれと同時にパソコン１２に対して終了を確認するために終了パケットを送信してパソコン１２との間の通信経路を切断する。
【００９４】
パソコン１２は、無線ＬＡＮ搭載データカード１１ａに対して終了パケットを送信する（ステップＳ２０１）。無線ＬＡＮ搭載データカード１１ａは、終了パケットを受信したか判断する（ステップＳ２０２）。終了パケットを受信していない場合（ステップＳ２０２、ＮＯ）は、判断を繰り返す。終了パケットを受信した場合（ステップＳ２０２、ＹＥＳ）は、無線ＬＡＮ搭載データカード１１ａはアクセスサーバ１５ａに対して切断パケットを送信する（ステップＳ２０３）
【００９５】
アクセスサーバ１５ａが、切断パケットを受信したかを判断する（ステップＳ２０４）。切断パケットを受信していない場合（ステップＳ２０４、ＮＯ）は、判断を繰り返す。切断パケットを受信した場合（ステップＳ２０４、ＹＥＳ）は、無線ＬＡＮ搭載データカード１１ａはアクセスサーバ１５ａとの通信経路を切断する（ステップＳ２０５）。
【００９６】
また無線ＬＡＮ搭載データカード１１ａは、パソコン１２に対して終了パケットを送信する（ステップＳ２０６）。
【００９７】
パソコン１２が、終了パケットを受信したかを判断する（ステップＳ２０７）。終了パケットを受信していない場合（ステップＳ２０７、ＮＯ）は、判断を繰り返す。終了パケットを受信した場合（ステップＳ２０７、ＹＥＳ）は、無線ＬＡＮ搭載データカード１１ａはパソコン１２との通信経路を切断する。
【００９８】
また、上記の実施形態によれば、無線ＬＡＮ機能搭載のデータカードにおいて、パソコンから無線ＬＡＮ経由でデータカードにアクセスできるようになる。無線ＬＡＮ搭載のデータカードは、データカード通信モデム機能を使いインターネット網に接続できる機能を使って、無線ＬＡＮ経由で接続されているパソコンも一緒にインターネットに接続できるようになる。
【００９９】
また、上記の実施形態によれば、複数のパソコンから無線ＬＡＮ部２２経由で1台の無線ＬＡＮ搭載データカードに接続することができる。データカード通信モデム部２３機能よりインターネット接続する。複数台のパソコンから１台のインターネット接続されたデータカード経由でインターネット接続が可能になる。
【０１００】
また、本発明に係る無線ＬＡＮ搭載データカードは、データ送受信手段は、ネットワーク形成手段と無線通信接続手段とデータ送受信処理手段とによりアクセスサーバとの間でデータの送受信を行うことを特徴とする。
【０１０１】
また、本発明に係る無線ＬＡＮ搭載データカードは、データ送受信手段は、ネットワーク形成手段によりローカルネットワークとの間で形成した通信経路と、データ送受信処理手段によりアクセスサーバとの間で形成した通信経路と、を接続してデータの中継を行う中継手段を有することを特徴とする。
【０１０２】
また、本発明に係る無線ＬＡＮ搭載データカードは、ネットワーク形成手段により形成されたローカルネットワークとアクセスサーバと、の間でデータの送受信を制御するルータ手段を有することを特徴とする。
【０１０３】
また、本発明に係る無線ＬＡＮ搭載データカードは、データ送受信手段は無線ＬＡＮであり、ネットワーク形成手段は無線ＬＡＮアクセスポイントであり、無線通信接続手段は移動体通信であり、データ送受信処理手段は通信モデムであること、を特徴とする。
【０１０４】
また、本発明に係る無線ＬＡＮ搭載データカードは、パソコンと接続するためのインターフェイスであるインターフェイス手段と、データ送受信手段と、ネットワーク形成手段と、無線通信接続手段と、データ送受信処理手段と、中継手段と、ルータ手段と、制御手段と、インターフェイス手段と、を機能させるための情報を記憶するデータ記憶手段と、データ送受信手段と、ネットワーク形成手段と、無線通信接続手段と、データ送受信処理手段と、中継手段と、ルータ手段と、制御手段と、インターフェイス手段と、データ記憶手段と、の処理を制御するＣＰＵ手段と、を有することを特徴とする。
【０１０５】
また、本発明に係る無線ＬＡＮ搭載データカードの通信方法は、データ送受信工程は、ネットワーク形成工程と無線通信接続工程とデータ送受信処理工程とによりアクセスサーバとの間でデータの送受信を行う工程を有することを特徴とする。
【０１０６】
また、本発明に係る無線ＬＡＮ搭載データカードの通信方法は、データ送受信工程は、ネットワーク形成工程によりローカルネットワークとの間で形成した通信経路と、データ送受信処理工程によりアクセスサーバとの間で形成した通信経路と、を接続してデータの中継を行う中継工程を有することを特徴とする。
【０１０７】
また、本発明に係る無線ＬＡＮ搭載データカードの通信方法は、ネットワーク形成工程により形成されたローカルネットワークとアクセスサーバと、の間でデータの送受信を制御するルータ工程を有することを特徴とする。
【０１０８】
また、本発明に係る無線ＬＡＮ搭載データカードの通信方法は、データ送受信工程は無線ＬＡＮであり、ネットワーク形成工程は無線ＬＡＮアクセスポイントであり、無線通信接続工程は移動体通信であり、データ送受信処理工程は通信モデムであること、を特徴とする。
【０１０９】
また、本発明に係る無線ＬＡＮ搭載データカードの通信方法は、パソコンと接続するためのインターフェイスであるインターフェイス工程と、データ送受信工程と、ネットワーク形成工程と、無線通信接続工程と、データ送受信処理工程と、中継工程と、ルータ工程と、制御工程と、インターフェイス工程と、を機能させるための情報を記憶するデータ記憶工程と、データ送受信工程と、ネットワーク形成工程と、無線通信接続工程と、データ送受信処理工程と、中継工程と、ルータ工程と、制御工程と、インターフェイス工程と、データ記憶工程と、の処理工程を制御するＣＰＵ工程と、を有することを特徴とする。
【０１１０】
また、本発明に係るプログラムは、データ送受信処理は、ネットワーク形成処理と無線通信接続処理とデータ送受信処理とによりアクセスサーバとの間でデータの送受信処理を行うことを特徴とする。
【０１１１】
また、本発明に係るプログラムは、データ送受信処理は、ネットワーク形成処理によりローカルネットワークとの間で形成した通信経路と、データ送受信処理によりアクセスサーバとの間で形成した通信経路と、を接続してデータの中継を行う中継処理を有することを特徴とする。
【０１１２】
また、本発明に係るプログラムは、ネットワーク形成処理により形成されたローカルネットワークとアクセスサーバと、の間でデータの送受信を制御するルータ処理を有することを特徴とする。
【０１１３】
また、本発明に係るプログラムは、前記パソコンと接続するためのインターフェイスであるインターフェイス処理と、データ送受信処理と、ネットワーク形成処理と、無線通信接続処理と、データ送受信処理と、中継処理と、ルータ処理と、制御処理と、インターフェイス処理と、を機能させるための情報を記憶するデータ記憶処理と、データ送受信処理と、ネットワーク形成処理と、無線通信接続処理と、データ送受信処理と、中継処理と、ルータ処理と、制御処理と、インターフェイス処理と、データ記憶処理と、の処理を制御するＣＰＵ処理と、を有することを特徴とする。
【産業上の利用可能性】
【０１１４】
本発明によれば、移動体通信ネットワークを介してインターネット網と接続してデータ通信する携帯可能な通信データカードなどの用途に適用できる。
【符号の説明】
【０１１５】
１    無線ＬＡＮネットワーク（ローカルネットワーク）
１０    移動体通信ネットワーク
１１、１２、１３、１４    パソコン
１１ａ    無線ＬＡＮ搭載データカード
１２ａ、１３ａ、１４ａ    無線ＬＡＮカード
１５    ＩＳＰ
１５ａ    アクセスサーバ
１６    インターネット網
１７    インターネットサーバ
２１    ＣＰＵ部
２２    無線ＬＡＮ部
２３    データカード通信モデム部
２４    制御回路部
２５    データメモリ部
２６    Ｉ／Ｆ部
２２０    無線ＬＡＮアクセスポイント部
２２１、２２２、２３１    アンテナ
【図１】
2011004271.tif 000003
【図２】
2011004271.tif 000004
【図３】
2011004271.tif 000005
【図４】
2011004271.tif 000006
【図５】
2011004271.tif 000007